(57)【要約】【課題】入力電圧に応じた出力電圧の切り替えが容易で、かつ小型化が可能な電源装置を提供する。【解決手段】入力側巻線Ｎ１、Ｎ２、及び入力側巻線Ｎ１、Ｎ２とそれぞれ巻数が等しい出力側巻線Ｎ３、Ｎ４を有する商用トランスＴと、入力側巻線Ｎ１、Ｎ２の接続を並列及び直列のいずれかに選択する入力接続セレクタ１０と、入力接続セレクタ１０における入力側巻線Ｎ１、Ｎ２の接続の選択を検出し、その検出結果に応じて出力側巻線Ｎ３、Ｎ４の接続を並列及び直列のいずれかに選択する出力接続セレクタ２０とを備える。【選択図】図１
2008211895.tif 000002
【特許請求の範囲】
【請求項１】
複数の入力側巻線、及び該複数の入力側巻線とそれぞれ巻数が等しい複数の出力側巻線を有する商用トランスと、
前記複数の入力側巻線の接続を並列及び直列のいずれかに選択する入力接続セレクタと、
前記入力接続セレクタにおける前記複数の入力側巻線の接続の選択を検出し、該検出結果に応じて前記複数の出力側巻線の接続を並列及び直列のいずれかに選択する出力接続セレクタ
とを備えることを特徴とする電源装置。
【請求項２】
前記出力接続セレクタが、
前記複数の入力側巻線が並列接続される場合に交流端子間が短絡され、前記複数の入力側巻線が直列接続される場合に前記交流端子間に電圧が印加される第１の整流ブリッジダイオードと、
前記第１の整流ブリッジダイオードの前記交流端子間に電圧が印加される場合に、前記複数の出力側巻線を直列接続する第１のリレーと、
前記複数の入力側巻線が直列接続される場合に交流端子間が短絡され、前記複数の入力側巻線が並列接続される場合に前記交流端子間に電圧が印加される第２の整流ブリッジダイオードと、
前記第２の整流ブリッジダイオードの前記交流端子間に電圧が印加される場合に、前記複数の出力側巻線を並列接続する第２のリレー
とを備えることを特徴とする請求項１に記載の電源装置。
【請求項３】
前記第１のリレーが、
前記第１の整流ブリッジダイオードにより整流された電圧が供給されるコイルと、
前記コイルに電流が流れる場合に、前記複数の出力側巻線間を直列接続する接点
とを備えることを特徴とする請求項２に記載の電源装置。
【請求項４】
前記第２のリレーが、
前記第２の整流ブリッジダイオードにより整流された電圧が供給されるコイルと、
前記コイルに電流が流れる場合に、前記複数の出力側巻線の巻き終わり同士を接続する第１の接点と、
前記コイルに電流が流れる場合に、前記複数の出力側巻線の巻き始め同士を接続する第２の接点
とを備えることを特徴とする請求項２に記載の電源装置。
【請求項５】
前記出力接続セレクタが、
前記複数の入力側巻線が並列接続される場合に交流端子間が短絡され、前記複数の入力側巻線が直列接続される場合に前記交流端子間に電圧が印加される整流ブリッジダイオードと、
前記交流端子間に電圧が印加される場合に前記複数の出力側巻線を直列接続し、前記交流端子間に電圧が印加されない場合に前記複数の出力側巻線を並列接続するリレー
とを備えることを特徴とする請求項１に記載の電源装置。
【請求項６】
前記リレーが、
前記整流ブリッジダイオードにより整流された電圧が供給されるコイルと、
前記コイルに電流が流れる場合に前記複数の出力側巻線を直列接続し、前記コイルに電流が流れない場合に前記複数の出力側巻線の巻き終わり同士を接続する第１の接点と、
前記コイルに電流が流れない場合に前記複数の出力側巻線の巻き始め同士を接続する第２の接点
とを備えることを特徴とする請求項５に記載の電源装置。
【発明の詳細な説明】
【技術分野】
【０００１】
本発明は、トランスを有する電源装置に係り、特に複数の入力電圧が入力される電源装置に関する。
【背景技術】
【０００２】
高い安全性や耐ノイズ性能が要求される医療機器向け等の電源装置は、通常、商用周波数の入力に対応する商用トランスを備えている。商用トランスは、入力側と出力側を分離して出力側のノイズを低減するため等に使用される。
【０００３】
例えば商用電源が異なる地域で使用するために電圧値が異なる複数の入力電圧に対応する電源装置は、各入力電圧に対応して複数の商用トランスを備える。或いは、１つの商用トランスのみを備え、入力電圧と同じ出力電圧の他、所定の出力電圧を出力可能な電源装置が提案されている。上記電源装置では、入力電圧に応じて商用トランスの入力側及び出力側の巻線をそれぞれ並列或いは直列に切り替えることによって、１つの商用トランスで複数の入力電圧に対応して出力電圧を切り替える。そのため、商用トランスの数を少なくできる（例えば、特許文献１参照。）。
【０００４】
しかしながら、上記の電源装置では、入力電圧に応じた出力電圧の切り替えのために、商用トランスの入力側と出力側のそれぞれのボルテージセレクタを外部から切り替えて、商用トランスの入力側と出力側の巻線をそれぞれ並列或いは直列に切り替える。そのため、ユーザが複数のボルテージセレクタを操作可能な筐体を用意しなければならない。また、複数のスイッチを商用トランスに接続するため、電源装置内部の配線は複雑になる。その結果、電源装置が大型化する。更に、ユーザの作業が煩雑になる、電圧設定のミスが増える等の問題があった。
【特許文献１】特開２００５−２３７１７９号公報
【発明の開示】
【発明が解決しようとする課題】
【０００５】
本発明は、入力電圧に応じた出力電圧の切り替えが容易で、かつ小型化が可能な電源装置を提供することを目的とする。
【課題を解決するための手段】
【０００６】
本発明の一態様によれば、（イ）複数の入力側巻線、及びその複数の入力側巻線とそれぞれ巻数が等しい複数の出力側巻線を有する商用トランスと、（ロ）複数の入力側巻線の接続を並列及び直列のいずれかに選択する入力接続セレクタと、（ハ）入力接続セレクタにおける複数の入力側巻線の接続の選択を検出し、その検出結果に応じて複数の出力側巻線の接続を並列及び直列のいずれかに選択する出力接続セレクタとを備える電源装置が提供される。
【発明の効果】
【０００７】
本発明によれば、入力電圧に応じた出力電圧の切り替えが容易で、かつ小型化が可能な電源装置を提供できる。
【発明を実施するための最良の形態】
【０００８】
次に、図面を参照して、本発明の第１及び第２の実施の形態を説明する。以下の図面の記載において、同一又は類似の部分には同一又は類似の符号を付している。また、以下に示す第１及び第２の実施の形態は、この発明の技術的思想を具体化するための装置や方法を例示するものであって、この発明の技術的思想は、構成部品の構造、配置等を下記のものに特定するものでない。この発明の技術的思想は、特許請求の範囲において、種々の変更を加えることができる。
【０００９】
（第１の実施の形態）
本発明の第１の実施の形態に係る電源装置は、図１に示すように、入力側巻線Ｎ１、Ｎ２、及び入力側巻線Ｎ１、Ｎ２とそれぞれ巻数が等しい出力側巻線Ｎ３、Ｎ４を有する商用トランスＴと、入力側巻線Ｎ１、Ｎ２の接続を並列及び直列のいずれかに選択する入力接続セレクタ１０と、入力接続セレクタ１０における入力側巻線Ｎ１、Ｎ２の接続の選択を検出し、その検出結果に応じて出力側巻線Ｎ３、Ｎ４の接続を並列及び直列のいずれかに選択する出力接続セレクタ２０とを備える。商用トランスＴは、定電圧出力用巻線Ｎ５を更に備える。入力側巻線Ｎ１、Ｎ２、出力側巻線Ｎ３、Ｎ４、定電圧出力用巻線Ｎ５の巻数比は、例えば１：１：１：１：２である。
【００１０】
入力側巻線Ｎ１の巻き始め（図１に黒丸を付して示す。以下において同様。）に入力端子Ｉ１が接続し、入力側巻線Ｎ２の巻き終わりに入力端子Ｉ２が接続する。入力端子Ｉ１、Ｉ２間に、交流の入力電圧ＶINが供給される。
【００１１】
出力側巻線Ｎ３の巻き始めに出力端子Ｏａ１が接続し、出力側巻線Ｎ４の巻き終わりに出力端子Ｏａ２が接続する。出力端子Ｏａ１、Ｏａ２間に、入力電圧ＶINによって誘起される第１の出力電圧ＶOUT1が出力される。また、定電圧出力用巻線Ｎ５の巻き始めに出力端子Ｏｂ１が接続し、巻き終わりに出力端子Ｏｂ２が接続する。出力端子Ｏｂ１、Ｏｂ２間に、入力電圧ＶINによって誘起される第２の出力電圧ＶOUT2が出力される。
【００１２】
入力接続セレクタ１０は、接続端子Ｐ１〜Ｐ３を有するスイッチＳＷ１と、接続端子Ｐ４〜Ｐ６を有するスイッチＳＷ２を備える。スイッチＳＷ１の接続端子Ｐ１に、入力側巻線Ｎ１の巻き終わりが接続する。接続端子Ｐ２に入力端子Ｉ２が接続し、接続端子Ｐ３は開放端子である。スイッチＳＷ２の接続端子Ｐ４に入力側巻線Ｎ２の巻き始めが接続する。接続端子Ｐ５に入力端子Ｉ１が接続し、接続端子Ｐ６に入力側巻線Ｎ１の巻き終わりが接続する。
【００１３】
入力電圧ＶINの値に応じてユーザは入力接続セレクタ１０を設定し、接続端子Ｐ１と接続端子Ｐ２又は接続端子Ｐ３とを接続し、接続端子Ｐ４と接続端子Ｐ５又は接続端子Ｐ６とを接続する。
【００１４】
但し、スイッチＳＷ１の接続端子Ｐ１と接続端子Ｐ２が接続される場合は、スイッチＳＷ２の接続端子Ｐ４と接続端子Ｐ５が接続される。その場合、入力側巻線Ｎ１の巻き終わりと入力端子Ｉ２がスイッチＳＷ１を介して接続する。更に、入力側巻線Ｎ２の巻き始めと入力端子Ｉ１がスイッチＳＷ２を介して接続する。つまり、入力側巻線Ｎ１と入力側巻線Ｎ２は並列接続となる。上記の入力側巻線Ｎ１と入力側巻線Ｎ２が並列接続される入力接続セレクタ１０の設定を、以下において「並列接続の設定」という。
【００１５】
一方、スイッチＳＷ１の接続端子Ｐ１と接続端子Ｐ３が接続される場合は、スイッチＳＷ２の接続端子Ｐ４と接続端子Ｐ６が接続される。その場合、入力側巻線Ｎ１の巻き終わりと入力側巻線Ｎ２の巻き始めがスイッチＳＷ２を介して接続する。つまり、入力側巻線Ｎ１と入力側巻線Ｎ２は直列接続となる。上記の入力側巻線Ｎ１と入力側巻線Ｎ２が直列接続される入力接続セレクタ１０の設定を、以下において「直列接続の設定」という。
【００１６】
出力接続セレクタ２０は、第１の整流ブリッジダイオード２１、第２の整流ブリッジダイオード２２、第１のリレー２３、及び第２のリレー２４を備える。第１及び第２の整流ブリッジダイオード２１、２２は、それぞれダイオードＤ１〜Ｄ４からなる。ダイオードＤ１のカソードとダイオードＤ２のアノードが接続し、ダイオードＤ３のカソードとダイオードＤ４のアノードが接続する。更に、ダイオードＤ１のアノードとダイオードＤ３のアノードが接続し、ダイオードＤ２のカソードとダイオードＤ４のカソードが接続する。
【００１７】
第１及び第２の整流ブリッジダイオード２１、２２は、ダイオードＤ１、Ｄ２の接続点及びダイオードＤ３、Ｄ４の接続点に入出力される交流を、全波整流して出力する。整流された出力は、ダイオードＤ２、Ｄ４とダイオードＤ１、Ｄ３の接続点の接続点から供給される。なお、ダイオードＤ２、Ｄ４の接続点がプラス電位、ダイオードＤ１、Ｄ３の接続点がマイナス電位になる。以下において、ダイオードＤ１、Ｄ２の接続点を「交流端子ａｃ１」、ダイオードＤ３、Ｄ４の接続点を「交流端子ａｃ２」という。また、ダイオードＤ１、Ｄ３の接続点及びダイオードＤ２、Ｄ４の接続点をそれぞれ「直流端子ｄｃ１」及び「直流端子ｄｃ２」という。
【００１８】
第１の整流ブリッジダイオード２１の交流端子ａｃ１を接続端子Ｐ１に接続し、交流端子ａｃ２を接続端子Ｐ２に接続する。第２の整流ブリッジダイオード２２の交流端子ａｃ１を接続端子Ｐ４に接続し、交流端子ａｃ２を接続端子Ｐ６に接続する。
【００１９】
第１及び第２のリレー２３、２４は全波整流された信号で動作するリレーである。第１のリレー２３は、接点Ｓ１とコイルＬ１を有する。コイルＬ１によって、接点Ｓ１の開閉は制御される。具体的には、コイルＬ１の両端に電圧が印加され、コイルＬ１に励磁電流が流れると接点Ｓ１は閉じる。コイルＬ１の両端に電圧が印加されない場合、接点Ｓ１は開放状態である。コイルＬ１の両端は、第１の整流ブリッジダイオード２１の直流端子ｄｃ１、ｄｃ２にそれぞれ接続する。接点Ｓ１の一端は出力側巻線Ｎ３の巻き終わりに接続し、他端は出力側巻線Ｎ４の巻き始めに接続する。つまり、コイルＬ１に励磁電流が流れる場合に、接点Ｓ１が出力側巻線Ｎ３の巻き終わりと出力側巻線Ｎ４の巻き終わりを接続する。
【００２０】
第２のリレー２４は、接点Ｓ２、Ｓ３とコイルＬ２を有する。コイルＬ２によって、接点Ｓ２、Ｓ３の開閉は制御される。具体的には、コイルＬ２の両端に電圧が印加され、コイルＬ２に励磁電流が流れると接点Ｓ２、Ｓ３は閉じる。コイルＬ２の両端に電圧が印加されない場合、接点Ｓ２、Ｓ３は開放状態である。コイルＬ２の両端は、第２の整流ブリッジダイオード２２の直流端子ｄｃ１、ｄｃ２にそれぞれ接続する。接点Ｓ２の一端は出力側巻線Ｎ３の巻き終わりに接続し、他端は出力側巻線Ｎ４の巻き終わりに接続する。接点Ｓ３の一端は出力側巻線Ｎ３の巻き始めに接続し、他端は出力側巻線Ｎ４の巻き始めに接続する。つまり、コイルＬ２に励磁電流が流れる場合に、接点Ｓ２が出力側巻線Ｎ３、Ｎ４の巻き終わり同士を接続し、接点Ｓ３が出力側巻線Ｎ３、Ｎ４の巻き始め同士を接続する。
【００２１】
以下に、図１に示した電源装置の動作を、１００Ｖ又は２００Ｖの電圧が入力され、入力された電圧と同一の電圧、及び２００Ｖの電圧を出力する場合を例に説明する。入力電圧ＶINが１００Ｖの場合は、第１の出力電圧ＶOUT1として１００Ｖが出力端子Ｏａ１、Ｏａ２間に出力され、第２の出力電圧ＶOUT2として２００Ｖが出力端子Ｏｂ１、Ｏｂ２間に出力される。又、入力電圧ＶINが２００Ｖの場合は、第１の出力電圧ＶOUT1として２００Ｖが出力端子Ｏａ１、Ｏａ２間に出力され、第２の出力電圧ＶOUT2として２００Ｖが出力端子Ｏｂ１、Ｏｂ２間に出力される。
【００２２】
まず、入力電圧ＶINが１００Ｖの場合を説明する。ユーザは、並列接続の設定になるように入力接続セレクタ１０を操作する。そのため、第１の整流ブリッジダイオード２１の交流端子ａｃ１と交流端子ａｃ２が短絡される。また、第２の整流ブリッジダイオード２２の交流端子ａｃ１と交流端子ａｃ２間に入力電圧ＶINが印加される状態になる。
【００２３】
ここで、入力端子Ｉ１、Ｉ２間に入力電圧ＶINとして１００Ｖの交流電圧が印加されると、第１の整流ブリッジダイオード２１の交流端子ａｃ１と交流端子ａｃ２間は短絡されているため、第１の整流ブリッジダイオード２１の直流端子ｄｃ１、ｄｃ２間には電圧が出力されない。そのため、第１のリレー２３のコイルＬ１に励磁電流が流れず、接点Ｓ１は開放状態である。
【００２４】
一方、第２の整流ブリッジダイオード２２の交流端子ａｃ１と交流端子ａｃ２間に入力電圧ＶINが印加され、第２の整流ブリッジダイオード２２の直流端子ｄｃ１、ｄｃ２間に全波整流された電圧が出力される。そのため、第２のリレー２４のコイルＬ２に第２の整流ブリッジダイオード２２により整流された電圧が供給され、コイルＬ２に励磁電流が流れて接点Ｓ２、Ｓ３は閉じる。
【００２５】
その結果、出力側巻線Ｎ３の巻き終わりが第２のリレー２４を介して出力端子Ｏａ２に接続し、出力側巻線Ｎ４の巻き始めが第２のリレー２４を介して出力端子Ｏａ１に接続する。つまり、出力側巻線Ｎ３と出力側巻線Ｎ４は並列接続となる。入力端子Ｉ１、Ｉ２間に入力電圧ＶINとして１００Ｖの交流電圧が印加されているため、出力端子Ｏａ１、Ｏａ２間に第１の出力電圧ＶOUT1として１００Ｖが出力される。
【００２６】
また、入力側巻線Ｎ１、Ｎ２、定電圧出力用巻線Ｎ５の巻数比は、１：１：２であるため、出力端子Ｏｂ１、Ｏｂ２間に第２の出力電圧ＶOUT2として２００Ｖが出力される。
【００２７】
例えば、出力端子Ｏａ１、Ｏａ２間に１００Ｖの電源電圧を必要とする医療機器等が接続され、出力端子Ｏｂ１、Ｏｂ２間に２００Ｖの電源電圧を必要とするディスプレイ等が接続される。
【００２８】
次に、入力電圧ＶINが２００Ｖの場合を説明する。ユーザは、直列接続の設定になるように入力接続セレクタ１０を操作する。そのため、第１の整流ブリッジダイオード２１の交流端子ａｃ１と交流端子ａｃ２間に入力側巻線Ｎ２の両端にかかる電圧が印加される状態になる。また、第２の整流ブリッジダイオード２２の交流端子ａｃ１と交流端子ａｃ２が短絡される。
【００２９】
ここで、入力端子Ｉ１、Ｉ２間に入力電圧ＶINとして２００Ｖの交流電圧が印加されると、第２の整流ブリッジダイオード２２の交流端子ａｃ１と交流端子ａｃ２間は短絡されているため、第２の整流ブリッジダイオード２２の直流端子ｄｃ１、ｄｃ２間には電圧が出力されない。そのため、第２のリレー２４のコイルＬ２に励磁電流が流れず、接点Ｓ２、Ｓ３は開放状態である。
【００３０】
一方、第１の整流ブリッジダイオード２１の交流端子ａｃ１と交流端子ａｃ２間に、入力側巻線Ｎ２の両端にかかる電圧が印加され、第１の整流ブリッジダイオード２１の直流端子ｄｃ１、ｄｃ２間に全波整流された電圧が出力される。そのため、第１のリレー２３のコイルＬ１に第１の整流ブリッジダイオード２１により整流された電圧が供給され、コイルＬ１に励磁電流が流れて接点Ｓ１は閉じる。
【００３１】
その結果、出力側巻線Ｎ３の巻き終わりが第１のリレー２３を介して出力側巻線Ｎ４の巻き始めに接続する。つまり、出力側巻線Ｎ３と出力側巻線Ｎ４は直列接続となる。入力端子Ｉ１、Ｉ２間に入力電圧ＶINとして２００Ｖの交流電圧が印加されているため、出力端子Ｏａ１、Ｏａ２間に第１の出力電圧ＶOUT1として２００Ｖが出力される。
【００３２】
また、入力側巻線Ｎ１、Ｎ２が直列接続された入力側巻線の巻数と定電圧出力用巻線Ｎ５の巻数比が１：１になるため、出力端子Ｏｂ１、Ｏｂ２間に第２の出力電圧ＶOUT2として２００Ｖが出力される。
【００３３】
上記のように、ユーザが入力接続セレクタ１０を並列接続の設定にして入力側巻線Ｎ１、Ｎ２が並列接続した場合には、出力接続セレクタ２０によって出力側巻線Ｎ３、Ｎ４が並列接続される。また、ユーザが入力接続セレクタ１０を直列接続の設定にして入力側巻線Ｎ１、Ｎ２が直列接続した場合には、出力接続セレクタ２０によって出力側巻線Ｎ３、Ｎ４が直列接続される。
【００３４】
以上に説明したように、出力接続セレクタ２０は、入力接続セレクタ１０のスイッチＳＷ１、ＳＷ２の設定に応じて整流された電圧を出力するか否かが決定される第１及び第２の整流ブリッジダイオード２１、２２によって、入力接続セレクタ１０における入力側巻線Ｎ１、Ｎ２の接続の選択を検出する。つまり、第１及び第２の整流ブリッジダイオード２１、２２の交流端子ａｃ１と交流端子ａｃ２間に電圧が印加されるか否かによって、入力側巻線Ｎ１、Ｎ２の接続状態が検出される。そして、出力接続セレクタ２０は、検出結果に応じて第１のリレー２３及び第２のリレー２４によって出力側巻線Ｎ３、Ｎ４を並列及び直列のいずれかに接続する。
【００３５】
図１に示した電源装置では、第１の整流ブリッジダイオード２１及び第２の整流ブリッジダイオード２２は、入力接続セレクタ１０の内部電位であるスイッチＳＷ１の接続端子Ｐ１〜Ｐ３の電位、及びスイッチＳＷ２の接続端子Ｐ４〜Ｐ６の電位に応じて、第１のリレー２３及び第２のリレーの動作を制御する。同時に、第１の整流ブリッジダイオード２１及び第２の整流ブリッジダイオード２２は、第１のリレー２３及び第２のリレー２４の電源を兼ねている。そのため、第１のリレー２３及び第２のリレー２４用の電源を別に用意する必要がなく、電源装置を小型化できる。
【００３６】
また、図１に示した電源装置では、入力側と出力側にボルテージセレクタがある場合に比べて、出力接続セレクタ２０の実装場所の制限が少ない。そのため、出力接続セレクタ２０と商用トランスＴの間隔を狭くして配置することができ、電源装置を小型化できる。
【００３７】
尚、第１のリレー２３及び第２のリレー２４は、商用トランスＴにできるだけ近く配置されることが望ましい。第１のリレー２３及び第２のリレー２４には、出力側巻線Ｎ３、Ｎ４に誘起される、他の配線に比べて大きな電流が流れるが、大電流が流れる部分を短いループで結線することが好ましいためである。特に医療用機器等の低ノイズが要求される電源装置においては、大電流が流れる配線は厚い絶縁膜で被覆されている必要がり、配線が太くなる。そのため、配線が長い場合には配線の引き回しに広いスペースが必要となり、大電流が流れる配線をできるだけ短くすることが、電源装置を小型化する上で望ましい。
【００３８】
図１に示した電源装置では、入力側巻線Ｎ１、Ｎ２の接続を選択する入力接続セレクタ１０の設定のみをユーザが変更することにより、出力電圧ＶOUT1、ＶOUT2の切り替えが可能である。そのため、入力電圧ＶINに応じてユーザが操作するボルテージセレクタの数が削減される。
【００３９】
以上に説明したように、本発明の第１の実施の形態に係る電源装置によれば、筐体設計の自由度が増して電源装置を小型化でき、更に電源装置内部の配線を簡易化できる。また、ユーザの作業が簡略化され、電圧設定のミスを減少できる。つまり、電源装置の小型化、低価格化が可能であり、誤操作による安全に対するリスクが低減される。したがって、入力電圧に応じた出力電圧の切り替えが容易で、かつ小型化が可能な電源装置を提供することができる。
【００４０】
（第２の実施の形態）
本発明の第２の実施の形態に係る電源装置は、図２に示すように、出力接続セレクタ２０Ａが、整流ブリッジダイオード２５及びリレー２６を有することが図１に示した出力接続セレクタ２０と異なる。又、入力接続セレクタ１０Ａの構成が図１に示した入力接続セレクタ１０と異なる。その他の構成については、図１に示す第１の実施の形態と同様である。
【００４１】
入力接続セレクタ１０Ａは、接続端子Ｐ１〜Ｐ３を有するスイッチＳＷ１と、接続端子Ｐ４〜Ｐ６を有するスイッチＳＷ２を備える。スイッチＳＷ１の接続端子Ｐ１に入力側巻線Ｎ１の巻き終わりが接続し、接続端子Ｐ２に入力側巻線Ｎ２の巻き終わりが接続する。接続端子Ｐ３にスイッチＳＷ２の接続端子Ｐ６が接続する。スイッチＳＷ２の接続端子Ｐ４に入力側巻線Ｎ２の巻き始めが接続し、接続端子Ｐ５に入力端子Ｉ１が接続する。
【００４２】
入力接続セレクタ１０Ａにおける並列接続の設定は、スイッチＳＷ１の接続端子Ｐ１と接続端子Ｐ２が接続され、スイッチＳＷ２の接続端子Ｐ４と接続端子Ｐ５が接続される設定である。入力接続セレクタ１０Ａにおける直列接続の設定は、スイッチＳＷ１の接続端子Ｐ１と接続端子Ｐ３が接続され、スイッチＳＷ２の接続端子Ｐ４と接続端子Ｐ６が接続される設定である。
【００４３】
出力接続セレクタ２０Ａが有する整流ブリッジダイオード２５は、図１に示した第１の整流ブリッジダイオード２１及び第２の整流ブリッジダイオード２２と同一の構成であり、ダイオードＤ１〜Ｄ４からなる。整流ブリッジダイオード２５の交流端子ａｃ１は入力側巻線Ｎ１の巻き終わりに接続し、交流端子ａｃ２は入力側巻線Ｎ２の巻き終わりに接続する。
【００４４】
リレー２６は、全波整流された信号によって短絡する端子を切り替える接点Ｓ３１、Ｓ３２、及びコイルＬ３を有するリレーである。接点Ｓ３１は端子３１ａ、３１ｂ、３１ｃを、接点Ｓ３２は端子３２ａ、３２ｂ、３２ｃをそれぞれ有する。コイルＬ３に制御されて接点Ｓ３１、Ｓ３２は短絡する端子を切り替える。具体的には、コイルＬ３の両端に電圧が印加され、コイルＬ３に励磁電流が流れると、接点Ｓ３１は端子３１ａと端子３１ｂを短絡し、接点Ｓ３２は端子３２ａと端子３２ｂを短絡する。コイルＬ３に励磁電流が流れない場合、接点Ｓ３１は端子３１ａと端子３１ｃを短絡し、接点Ｓ３２は端子３１ａと端子３２ｃを短絡する。
【００４５】
コイルＬ３の両端は、整流ブリッジダイオード２５の直流端子ｄｃ１、ｄｃ２にそれぞれ接続する。接点Ｓ３１の端子３１ａは出力側巻線Ｎ３の巻き終わりに接続し、端子３１ｂは出力側巻線Ｎ４の巻き始めに接続し、端子３１ｃは出力側巻線Ｎ４の巻き終わりに接続する。接点Ｓ３２の端子３２ａは出力側巻線Ｎ３の巻き始めに接続し、端子３２ｃは出力側巻線Ｎ４の巻き始めに接続する。端子３２ｂは開放端子である。
【００４６】
したがって、コイルＬ３に励磁電流が流れる場合に、接点Ｓ３１が出力側巻線Ｎ３の巻き終わりと出力側巻線Ｎ４の巻き始めを接続し、接点Ｓ３２が出力側巻線Ｎ３の巻き始めを開放端子に接続する。また、コイルＬ３に励磁電流が流れない場合に、接点Ｓ３１が出力側巻線Ｎ３、Ｎ４の巻き終わり同士を接続し、接点Ｓ３２が出力側巻線Ｎ３、Ｎ４の巻き始め同士を接続する。つまり、リレー２６は、整流ブリッジダイオード２５の交流端子ａｃ１と交流端子ａｃ２間に電圧が印加された場合に出力側巻線Ｎ３、Ｎ４を直列接続し、整流ブリッジダイオード２５の交流端子ａｃ１と交流端子ａｃ２間に電圧が印加されない場合に出力側巻線Ｎ３、Ｎ４を並列接続する。
【００４７】
ここで、入力電圧ＶINが１００Ｖの場合を説明する。ユーザは、並列接続の設定になるように入力接続セレクタ１０Ａを操作する。そのため、整流ブリッジダイオード２５の交流端子ａｃ１と交流端子ａｃ２間が短絡される。
【００４８】
入力端子Ｉ１、Ｉ２間に入力電圧ＶINとして１００Ｖの交流電圧が印加されると、整流ブリッジダイオード２５の交流端子ａｃ１と交流端子ａｃ２間は短絡されているため、整流ブリッジダイオード２５の直流端子ｄｃ１、ｄｃ２間には電圧が出力されない。そのため、リレー２６のコイルＬ３に励磁電流が流れず、出力側巻線Ｎ３と出力側巻線Ｎ４は並列接続となる。入力端子Ｉ１、Ｉ２間に入力電圧ＶINとして１００Ｖの交流電圧が印加されているため、出力端子Ｏａ１、Ｏａ２間に第１の出力電圧ＶOUT1として１００Ｖが出力される。また、入力側巻線Ｎ１、Ｎ２、定電圧出力用巻線Ｎ５の巻数比は、１：１：２であるため、出力端子Ｏｂ１、Ｏｂ２間に第２の出力電圧ＶOUT2として２００Ｖが出力される。
【００４９】
次に、入力電圧ＶINが２００Ｖの場合を説明する。ユーザは、直列接続の設定になるように入力接続セレクタ１０Ａを操作する。そのため、整流ブリッジダイオード２５の交流端子ａｃ１と交流端子ａｃ２間に入力側巻線Ｎ２の両端にかかる電圧が印加される状態になる。
【００５０】
ここで、入力端子Ｉ１、Ｉ２間に入力電圧ＶINとして２００Ｖの交流電圧が印加されると、整流ブリッジダイオード２５の交流端子ａｃ１と交流端子ａｃ２間に入力側巻線Ｎ２の両端にかかる電圧が印加され、整流ブリッジダイオード２５の直流端子ｄｃ１、ｄｃ２間に電圧が出力される。そのため、リレー２６のコイルＬ３に整流ブリッジダイオード２５により整流された電圧が供給され、出力側巻線Ｎ３と出力側巻線Ｎ４は直列接続となる。入力端子Ｉ１、Ｉ２間に入力電圧ＶINとして２００Ｖの交流電圧が印加されているため、出力端子Ｏａ１、Ｏａ２間に第１の出力電圧ＶOUT1として２００Ｖが出力される。また、入力側巻線Ｎ１、Ｎ２が直列接続された入力側巻線の巻数と定電圧出力用巻線Ｎ５の巻数比が１：１になるため、出力端子Ｏｂ１、Ｏｂ２間に第２の出力電圧ＶOUT2として２００Ｖが出力される。
【００５１】
以上に説明したように、出力接続セレクタ２０Ａは、入力接続セレクタ１０ＡのスイッチＳＷ１、ＳＷ２の設定に応じて整流された電圧を出力するか否かが決定される整流ブリッジダイオード２５によって、入力接続セレクタ１０Ａにおける入力側巻線Ｎ１、Ｎ２の接続の選択を検出する。つまり、整流ブリッジダイオード２５の交流端子ａｃ１と交流端子ａｃ２間に電圧が印加されるか否かによって、入力側巻線Ｎ１、Ｎ２の接続状態が検出される。そして、出力接続セレクタ２０Ａは、検出結果に応じて出力側巻線Ｎ３、Ｎ４を並列及び直列のいずれかに接続する。
【００５２】
本発明の第２の実施の形態に係る電源装置によれば、整流ブリッジダイオード及びリレーの数を、図１に示した電源装置より少なくすることができる。その結果、電源装置をより小型化できる。他は、第１の実施の形態と実質的に同様であり、重複した記載を省略する。
【００５３】
（その他の実施の形態）
上記のように、本発明は第１又は第２の実施の形態によって記載したが、この開示の一部をなす論述及び図面はこの発明を限定するものであると理解すべきではない。この開示から当業者には様々な代替実施の形態、実施例及び運用技術が明らかとなろう。
【００５４】
既に述べた第１又は第２実施の形態の説明においては、電源装置が第１の出力電圧ＶOUT1及び第２の出力電圧ＶOUT2を出力する場合を示したが、３以上の出力電圧を出力してもよい。
【００５５】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【図面の簡単な説明】
【００５６】
【図１】本発明の第１の実施の形態に係る電源装置の構成を示す模式図である。
【図２】本発明の第２の実施の形態に係る電源装置の構成を示す模式図である。
【符号の説明】
【００５７】
Ｔ…商用トランス
１０、１０Ａ…入力接続セレクタ
２０、２０Ａ…出力接続セレクタ
２１…第１の整流ブリッジダイオード
２２…第２の整流ブリッジダイオード
２３…第１のリレー
２４…第２のリレー
２５…整流ブリッジダイオード
２６…リレー
【図１】
2008211895.tif 000003
【図２】
2008211895.tif 000004